(57)【要約】【課題】スマートフォン８に備えられた演算部６の縮退動作を効率的に制御し、ユーザの操作感を損なうことなく、効率的に電力消費を行わせることを可能にする。【解決手段】ユーザの入力操作が、演算部６が所定以上の性能を維持する必要がある第１種の入力操作である場合には、通常作動モードで作動させ、演算部６が所定以上の性能を維持する必要がない第２種の入力操作である場合には、低消費電力作動モードで作動させる制御部５を備えている。【選択図】図１
2013246726.tif 000002
【特許請求の範囲】
【請求項１】
入力面に対するユーザの入力操作を検出する検出部を備え、上記検出部で検出されたユーザの入力操作に応じて駆動される電子装置であって、
通常作動モードと、上記通常作動モードより消費電力が小さい低消費電力作動モードと、を備えた演算部と、
上記検出部で検出されたユーザの入力操作が、上記演算部が所定以上の性能を維持する必要がある第１種の入力操作である場合には、上記ユーザの入力操作完了後に、上記演算部を、所定期間、上記通常作動モードで作動させ、上記検出部で検出されたユーザの入力操作が、上記演算部が所定以上の性能を維持する必要がない第２種の入力操作である場合には、上記ユーザの入力操作完了後に、上記演算部を、所定期間、上記低消費電力作動モードで作動させる制御部と、を備えていることを特徴とする電子装置。
【請求項２】
上記演算部は、上記制御部から縮退抑止信号が送出された場合に、上記通常作動モードで作動され、上記制御部から縮退抑止信号が送出されない場合には、上記低消費電力作動モードで作動されることを特徴とする請求項１に記載の電子装置。
【請求項３】
上記ユーザの入力操作には、上記ユーザの入力手段が上記入力面に接するタッチダウン操作と、上記ユーザの入力手段が上記入力面に接した状態で動くタッチムーブ操作と、上記ユーザの入力手段が上記入力面から離れるタッチアップ操作と、が含まれており、
上記ユーザの入力操作は、上記タッチアップ操作で完了され、上記タッチアップ操作の際に、上記ユーザの入力操作が上記第１種の入力操作か、上記第２種の入力操作かを判定することを特徴とする請求項１または２に記載の電子装置。
【請求項４】
上記制御部は、所定期間内において、上記ユーザの入力手段が上記入力面に所定回数以上接触された場合には、上記ユーザの入力操作を上記第２種の入力操作と判定することを特徴とする請求項１から３の何れか１項に記載の電子装置。
【請求項５】
上記制御部は、上記ユーザの入力手段が上記入力面に所定時間以上接触する操作を含む場合には、上記ユーザの入力操作を、上記第２種の入力操作と判定することを特徴とする請求項１から４の何れか１項に記載の電子装置。
【請求項６】
上記制御部は、上記ユーザの入力手段が上記入力面に接触した状態から非接触状態となるまでの間の上記入力手段の移動量が、所定量以上であった場合、上記ユーザの入力操作を、上記第２種の入力操作と判定することを特徴とする請求項１から５の何れか１項に記載の電子装置。
【請求項７】
上記制御部は、１秒間に、上記ユーザの入力手段が上記入力面に２回以上接触された場合には、上記ユーザの入力操作を上記第２種の入力操作と判定することを特徴とする請求項４に記載の電子装置。
【請求項８】
上記制御部は、上記ユーザの入力手段が上記入力面に３００ミリ秒以上接触する操作を含む場合には、上記ユーザの入力操作を、上記第２種の入力操作と判定することを特徴とする請求項５に記載の電子装置。
【請求項９】
上記制御部は、上記ユーザの入力手段が上記入力面に接触した状態から非接触状態となるまでの間の上記入力手段の移動量が、上記入力手段における上記入力面と接する面のある一方向の幅の０．１倍以上であった場合、上記ユーザの入力操作を、上記第２種の入力操作と判定することを特徴とする請求項６に記載の電子装置。
【請求項１０】
上記制御部は、
上記ユーザの入力操作が、所定期間内において、上記ユーザの入力手段が上記入力面に所定回数未満接触するという第１の条件と、
上記ユーザの入力操作が、上記入力手段が上記入力面に所定時間以上接触する操作を含まないという第２の条件と、
上記ユーザの入力操作が、上記入力手段が上記入力面に接触した状態から非接触状態となるまでの間の上記入力手段の移動量が、所定量未満であるという第３の条件と、の何れの条件を満たす場合には、上記ユーザの入力操作を、上記第１種の入力操作と判定することを特徴とする請求項１から３の何れか１項に記載の電子装置。
【請求項１１】
上記ユーザの入力操作が、一つの入力手段によって行われるという第４の条件をさらに満たす場合には、上記ユーザの入力操作を、上記第１種の入力操作と判定することを特徴とする請求項１０に記載の電子装置。
【請求項１２】
上記制御部は、
上記ユーザの入力操作が、上記第１の条件を満たさなかった場合には、所定期間の間、上記ユーザの入力操作に続くユーザの入力操作が、上記第１の条件から上記第３の条件までの何れの条件を満たす場合でも、上記ユーザの入力操作に続くユーザの入力操作を、上記第２種の入力操作と判定することを特徴とする請求項１０に記載の電子装置。
【請求項１３】
上記制御部は、
上記ユーザの入力操作が、上記ユーザの入力手段が上記入力面を含む特定領域との接触を含む場合には、所定期間の間の上記ユーザの入力操作に続くユーザの入力操作全てを上記第１種の入力操作と判定することを特徴とする請求項１から１２の何れか１項に記載の電子装置。
【請求項１４】
携帯型電源を備えていることを特徴とする請求項１から１３の何れか１項に記載の電子装置。
【発明の詳細な説明】
【技術分野】
【０００１】
本発明は、演算部（ＣＰＵ：Ｃｅｎｔｒａｌ  Ｐｒｏｃｅｓｓｉｎｇ  Ｕｎｉｔ）の作動モードを制御できる制御部を備えた電子装置に関するものである。
【背景技術】
【０００２】
近年、情報携帯端末などを含む電子装置は演算部（ＣＰＵ）の高性能化、マルチコア化で増えた消費電力および発熱量対策としてパワーマネージメント（Ｐｏｗｅｒ  Ｍａｎａｇｅｍｅｎｔ）の仕組みが課題となっている。
【０００３】
このようなパワーマネージメントの仕組みとしては、古くからは、ユーザが当該電子装置を使用しない時の消費電力を抑えるために、「サスペンド」や「ハイバネーション」と呼ばれる省電力モードで動作する機能を備えた構成や、ＣＰＵやその他のデバイスそのものを停止させる機能を備えた構成などが知られている程度であったが、最近では、縮退動作と呼ばれ、ＣＰＵの実行中に動的にＣＰＵの周波数や電圧を変更する（Ｄｙｎａｍｉｃ  ｆｒｅｑｕｅｎｃｙ  ｓｃａｌｉｎｇ，  Ｄｙｎａｍｉｃ  ｖｏｌｔａｇｅ  ｓｃａｌｉｎｇ）や、パワーゲーティングを用いて動作コア数を減らす方法が用いられるようになっている。
【０００４】
このような縮退動作は消費電力および発熱量の削減を満たす効果はあるものの、本来、ＣＰＵが持っている処理能力をすべて発現できない状態となるため、効果的に縮退動作を抑止し制御する方法が求められている。
【０００５】
そこで、このように効果的に縮退動作を抑止し制御する方法として、例えば、特許文献１には、カメラでの撮影を行う場合にＣＰＵのクロック数を上げることで撮像処理のパフォーマンスを高めることについて記載されており、特許文献２には、キー入力を契機にＣＰＵのクロック数を上げることについて記載されている。
【０００６】
しかしながら、上記特許文献１および２に開示されている構成は、何れもカメラやキー入力装置などの特定のハードウェアに依存したものであり、上記特許文献１に開示されている構成は、ＣＰＵのみに依存する処理を区分し、これに応じて、ＣＰＵのクロック数を上げる構成とはなってなく、また、上記特許文献２に開示されている構成は、ＣＰＵの処理が特に必要のないタイミングにおいてのキー入力においでもＣＰＵのクロック数を上げる構成であるため、消費電力が大きくなってしまうという問題があった。
【０００７】
このような問題点を考慮し、オペレーティングシステム（ＯＳ）にパワーマネージメントの仕組みを用いる方法が提案されている。
【０００８】
例えば、特許文献３には、プロセス状況によって実行時のＣＰＵ処理速度を変える方法について開示されている。
【０００９】
また、特許文献４には、割り込みが生じた場合にＣＰＵのクロック数を高めることで、割り込みが生じたとしでも、割り込み前の処理時間以内に収める構成について開示されている。
【００１０】
そして、特許文献５には、処理が特定の時間内に終わらない場合に、ＣＰＵのクロック数を高める構成について開示されている。
【００１１】
また、この他にも、従来においては、グラフィカルユーザーインターフェース（ＧＵＩ）を備えたスマートフォンなどの情報携帯端末を含む電子装置内で、実行可能な複数のアプリケーションと、それらから起動するアプリケーションを選択するランチャー機能をもつアプリケーション（以下、ランチャー）を保持した状態で、ユーザーがランチャーを使用してアプリケーションを選択する場合、起動するタイミングでＣＰＵが縮退動作を行なっていると、「もたつく」「反応が悪い」といった操作感の侵害を受けていた。
【００１２】
また、近年、ＧＵＩの高機能化に伴い、ランチャーはアプリケーション終了後に復帰できるように、アプリケーション起動と同時期に、一時的に揮発性メモリもしくは不揮発性メモリに情報を保持した上で、ユーザー・インターフェース（Ｕ／Ｉ）の入出力の制御をアプリケーションに委譲し、ランチャー自らは不活性化する機能を備える傾向にあり、ランチャーの不活性化に伴う処理量も増加傾向にある。
【００１３】
このようなランチャーの不活性化時に行われる処理も、ＣＰＵが縮退動作している状態では、ユーザビリティーを下げる一つの原因となっていた。
【００１４】
そこで、ランチャーにおいて、アイコンを選択するイベントを受けて、上記ランチャーからＣＰＵのＨｉｇｈ固定（縮退抑止）処理を行うことで、アプリケーション起動を高速化し、もたつき・反応の悪さを改善することについても提案されている。
【先行技術文献】
【特許文献】
【００１５】
【特許文献１】特開２０１０−１６６６０７号公報（２０１０年７月２９日公開）
【特許文献２】特開２０１０−３９７９１号公報（２０１０年２月１８日公開）
【特許文献３】特許第４１２３６４０号（２００８年７月２３日公開）
【特許文献４】特開２００６−２３５９０７号公報（２００６年９月７日公開）
【特許文献５】特開２００２−３０４２３２号公報（２００２年１０月１８日公開）
【発明の概要】
【発明が解決しようとする課題】
【００１６】
しかしながら、上記特許文献３〜５に開示されているようなＯＳの機能と連動した構成は、一定の効果は得られるものの、以下に示すような問題点を有している。
【００１７】
上記特許文献３に記載されている構成は、事前にアプリケーションがどの程度の処理を必要とするのかがわからないため、ＣＰＵのクロック数のアップの可否判断ができない。
【００１８】
また、上記特許文献４に記載されている構成は、限られた処理（割り込み処理）のみ発現するためその範囲が限られるとともに、単一の割り込み処理が動作を遅延させるため起動という複合的な処理には向かない。
【００１９】
そして、上記特許文献５に記載されている構成は、処理遅延が発生してからＣＰＵのクロック数を上げる構成であるため、遅延が発生した場合に、初めて行われるＣＰＵのクロック数のアップ処理は、遅延発生を確認する時間だけ、処理が後手にまわることでユーザが速度を体感するに至らないという問題がある。
【００２０】
また、上述した、ランチャーにおいて、アイコンを選択するイベントを受けて、上記ランチャーからＣＰＵのＨｉｇｈ固定（縮退抑止）処理を行うことで、アプリケーション起動を高速化し、もたつき・反応の悪さを改善する方法においては、予め、ランチャーにＣＰＵのＨｉｇｈ固定（縮退抑止）処理を行う、または、要求を出すモジュールが必要であった。また、ランチャーは、ＣＰＵのリソース制御に関わるため、セキュリティを考慮し事前にフラットフォームから信頼される必要があるので、例えば、ＡｎｄｒｏｉｄではＰｅｒｍｉｓｓｉｏｎやＳｉｇｎａｔｕｒｅにより管理される。
【００２１】
本発明は、上記の問題点に鑑みてなされたものであり、その目的は、入力面に対するユーザの入力操作に応じて、電子装置に備えられた演算部の縮退動作を効率的に制御し、ユーザの操作感を損なうことなく、効率的に電力消費を行わせることを可能にする電子装置を提供することである。
【課題を解決するための手段】
【００２２】
本発明の電子装置は、上記の課題を解決するために、入力面に対するユーザの入力操作を検出する検出部を備え、上記検出部で検出されたユーザの入力操作に応じて駆動される電子装置であって、通常作動モードと、上記通常作動モードより消費電力が小さい低消費電力作動モードと、を備えた演算部と、上記検出部で検出されたユーザの入力操作が、上記演算部が所定以上の性能を維持する必要がある第１種の入力操作である場合には、上記ユーザの入力操作完了後に、上記演算部を、所定期間、上記通常作動モードで作動させ、上記検出部で検出されたユーザの入力操作が、上記演算部が所定以上の性能を維持する必要がない第２種の入力操作である場合には、上記ユーザの入力操作完了後に、上記演算部を、所定期間、上記低消費電力作動モードで作動させる制御部と、を備えていることを特徴としている。
【００２３】
上記構成によれば、アプリケーションやランチャー機能をもつアプリケーション（以下、ランチャー）に依存せず、入力面に対するユーザの入力操作に基づいて、上記演算部が所定以上の性能を維持する必要がある第１種の入力操作であるか、上記演算部が所定以上の性能を維持する必要がない第２種の入力操作であるか、を判定し、上記第１種の入力操作である場合には、上記演算部を、所定期間、上記通常作動モードで作動させ、上記第２種の入力操作である場合には、上記演算部を、所定期間、上記低消費電力作動モードで作動させる制御部が備えられている。
【００２４】
スマートフォンなどを含む電子装置のランチャーは、ユーザのリテラシーが上がると、好みのものをダウンロードし使うなど、カスタマイズする傾向があり、従来のような、ランチャーにおいて、アイコンを選択するイベントを受けて、上記ランチャーから演算部を上記通常作動モードで駆動させる構成では、ランチャーが変わると、演算部の制御が行えなくなってしまう。
【００２５】
一方、上記構成によれば、上記制御部は、入力面に対するユーザの入力操作に基づいて、判定を行い、演算部を効率的に制御するので、ランチャーの種類が変わっても（ランチャーの種類に関係なく）、アプリケーションの起動を高速化でき、ユーザの操作感を損なうことなく、効率的に電力消費を行わせることを可能にする電子装置を実現できる。
【００２６】
また、上記構成によれば、上記制御部は、入力面に対するユーザの入力操作に基づいて、判定を行うため、その状況に応じて、精度高く、演算部を制御できる。したがって、より低消費電力で駆動できる電子装置を実現できる。
【００２７】
本発明の電子装置おいて、上記演算部は、上記制御部から縮退抑止信号が送出された場合に、上記通常作動モードで作動され、上記制御部から縮退抑止信号が送出されない場合には、上記低消費電力作動モードで作動される構成であってもよい。
【００２８】
上記構成によれば、上記制御部は、上記演算部に縮退抑止信号を送出するか、しないかによって、上記演算部の作動モードを制御できるようになっているので、上記制御部の構成を比較的簡素化することができる。
【００２９】
本発明の電子装置おいて、上記ユーザの入力操作には、上記ユーザの入力手段が上記入力面に接するタッチダウン操作と、上記ユーザの入力手段が上記入力面に接した状態で動くタッチムーブ操作と、上記ユーザの入力手段が上記入力面から離れるタッチアップ操作と、が含まれており、上記ユーザの入力操作は、上記タッチアップ操作で完了され、上記タッチアップ操作の際に、上記ユーザの入力操作が上記第１種の入力操作か、上記第２種の入力操作かを判定する構成であってもよい。
【００３０】
上記構成によれば、ユーザの入力操作に応じて、精度高く、演算部を制御でき、より低消費電力で駆動できる電子装置を実現できる。
【００３１】
本発明の電子装置おいて、上記制御部は、所定期間内において、上記ユーザの入力手段が上記入力面に所定回数以上接触された場合には、上記ユーザの入力操作を上記第２種の入力操作と判定することが好ましい。
【００３２】
本発明の電子装置おいて、上記制御部は、上記ユーザの入力手段が上記入力面に所定時間以上接触する操作を含む場合には、上記ユーザの入力操作を、上記第２種の入力操作と判定することが好ましい。
【００３３】
本発明の電子装置おいて、上記制御部は、上記ユーザの入力手段が上記入力面に接触した状態から非接触状態となるまでの間の上記入力手段の移動量が、所定量以上であった場合、上記ユーザの入力操作を、上記第２種の入力操作と判定することが好ましい。
【００３４】
本発明の電子装置おいて、上記制御部は、１秒間に、上記ユーザの入力手段が上記入力面に２回以上接触された場合には、上記ユーザの入力操作を上記第２種の入力操作と判定することが好ましい。
【００３５】
本発明の電子装置おいて、上記制御部は、上記ユーザの入力手段が上記入力面に３００ミリ秒以上接触する操作を含む場合には、上記ユーザの入力操作を、上記第２種の入力操作と判定することが好ましい。
【００３６】
本発明の電子装置おいて、上記制御部は、上記ユーザの入力手段が上記入力面に接触した状態から非接触状態となるまでの間の上記入力手段の移動量が、上記入力手段における上記入力面と接する面のある一方向の幅の０．１倍以上であった場合、上記ユーザの入力操作を、上記第２種の入力操作と判定することが好ましい。
【００３７】
上記構成によれば、上記ユーザの入力操作に基づいて、上記制御部は、上記演算部が所定以上の性能を維持する必要がないと判断された場合（上記各々の条件の何れかを満たす場合）には、上記演算部を、所定期間、上記低消費電力作動モードで作動させるようになっている。
【００３８】
したがって、低消費電力で駆動できる電子装置を実現できる。
【００３９】
本発明の電子装置おいて、上記制御部は、上記ユーザの入力操作が、所定期間内において、上記ユーザの入力手段が上記入力面に所定回数未満接触するという第１の条件と、上記ユーザの入力操作が、上記入力手段が上記入力面に所定時間以上接触する操作を含まないという第２の条件と、上記ユーザの入力操作が、上記入力手段が上記入力面に接触した状態から非接触状態となるまでの間の上記入力手段の移動量が、所定量未満であるという第３の条件と、の何れの条件を満たす場合には、上記ユーザの入力操作を、上記第１種の入力操作と判定することが好ましい。
【００４０】
本発明の電子装置おいて、上記ユーザの入力操作が、一つの入力手段によって行われるという第４の条件をさらに満たす場合には、上記ユーザの入力操作を、上記第１種の入力操作と判定する構成であってもよい。
【００４１】
上記構成によれば、上記ユーザの入力操作に基づいて、上記制御部は、上記演算部が所定以上の性能を維持する必要があると判断された場合（上記第１の条件〜上記第３の条件の何れの条件も満たす場合または、上記第１の条件〜上記第４の条件の何れの条件も満たす場合）には、上記演算部を、所定期間、上記通常作動モードで作動させるようになっている。
【００４２】
以上のように、上記演算部を上記通常作動モードで作動させる条件が、上記演算部を上記低消費電力作動モードで作動させる条件より、厳しく設定されているので、低消費電力で駆動できる電子装置を実現できる。
【００４３】
本発明の電子装置おいて、上記制御部は、上記ユーザの入力操作が、上記第１の条件を満たさなかった場合には、所定期間の間、上記ユーザの入力操作に続くユーザの入力操作が、上記第１の条件から上記第３の条件までの何れの条件を満たす場合でも、上記ユーザの入力操作に続くユーザの入力操作を、上記第２種の入力操作と判定することが好ましい。
【００４４】
上記構成によれば、上記ユーザの入力操作が、例えば、文字入力などの入力操作であると判定された場合には、文字入力過程における多様な入力操作を考慮し、所定期間の間の上記ユーザの入力操作を文字入力過程と判定するようになっている。
【００４５】
したがって、上記演算部を、上記ユーザの入力操作に応じて、精度高く制御できるとともに、低消費電力で駆動できる電子装置を実現できる。
【００４６】
本発明の電子装置おいて、上記制御部は、上記ユーザの入力操作が、上記ユーザの入力手段が上記入力面を含む特定領域との接触を含む場合には、所定期間の間の上記ユーザの入力操作に続くユーザの入力操作全てを上記第１種の入力操作と判定する構成であってもよい。
【００４７】
上記構成によれば、必要に応じて、上記ユーザの選択により、上記演算部を、上記通常作動モードで作動させることができる。
【００４８】
本発明の電子装置は、携帯型電源を備えていてもよい。
【００４９】
本発明の電子装置は、低消費電力で駆動できる電子装置であることから、電源として携帯型電源を備えた場合に、より好適に用いることができる。
【発明の効果】
【００５０】
本発明の電子装置は、以上のように、通常作動モードと、上記通常作動モードより消費電力が小さい低消費電力作動モードと、を備えた演算部と、上記検出部で検出されたユーザの入力操作が、上記演算部が所定以上の性能を維持する必要がある第１種の入力操作である場合には、上記ユーザの入力操作完了後に、上記演算部を、所定期間、上記通常作動モードで作動させ、上記検出部で検出されたユーザの入力操作が、上記演算部が所定以上の性能を維持する必要がない第２種の入力操作である場合には、上記ユーザの入力操作完了後に、上記演算部を、所定期間、上記低消費電力作動モードで作動させる制御部と、を備えている構成である。
【００５１】
それゆえ、入力面に対するユーザの入力操作に応じて、電子装置に備えられた演算部の縮退動作を効率的に制御し、ユーザの操作感を損なうことなく、効率的に電力消費を行わせることを可能にする電子装置を実現できる。
【図面の簡単な説明】
【００５２】
【図１】本発明の一実施の形態のスマートフォンの要部構成を示すブロック図である。
【図２】本発明の一実施の形態のスマートフォンの外観を示す図である。
【図３】本発明の一実施の形態のスマートフォンに備えられた制御部で行われるユーザのタッチイベント種類を分別するフローチャートを示す図である。
【図４】本発明の一実施の形態のスマートフォンに備えられた制御部でタッチダウンイベントと分類された場合の処理フローチャートを示す図である。
【図５】本発明の一実施の形態のスマートフォンに備えられた制御部でタッチムーブイベントと分類された場合の処理フローチャートを示す図である。
【図６】本発明の一実施の形態のスマートフォンに備えられた制御部でタッチアップイベントと分類された場合の処理フローチャートを示す図である。
【発明を実施するための形態】
【００５３】
以下、図面に基づいて本発明の実施の形態について詳しく説明する。ただし、この実施の形態に記載されている構成部品の寸法、材質、形状、その相対配置などはあくまで一実施形態に過ぎず、これらによってこの発明の範囲が限定解釈されるべきではない。
【００５４】
なお、以下の実施の形態においては、電子装置の一例として、情報携帯端末であるスマートフォンを例に挙げて説明するが、これに限定されることはなく、タブレット端末、携帯型パーソナルコンピュータなどであってもよく、上記電子装置としては、携帯型の電子装置以外にも、例えば、モニターやテレビジョン受像機などであってもよい。
【００５５】
本発明の実施の形態について、図１〜図７に基づいて詳細に説明する。
（スマートフォンの概要）
図１は、本実施の形態に係るスマートフォン８の要部構成を示すブロック図である。
【００５６】
以下、図１に基づいて、スマートフォン８の概要を説明する。
【００５７】
スマートフォン８は、入力面としてのタッチパネル１と、タッチパネル１を駆動するためのタッチパネルドライバー２と、タッチパネルドライバー２を制御するためのタッチパネル制御部（タッチファーム）３と、を備えている。
【００５８】
そして、図示されているように、タッチパネル１と、タッチパネルドライバー２と、タッチパネル制御部３と、が入力面であるタッチパネル１に対するユーザの入力操作を検出するタッチパネルモジュール（検出部）４となっている。
【００５９】
それから、スマートフォン８は、タッチパネルモジュール４で検出されたユーザの入力操作に応じて駆動されるようになっている。
【００６０】
制御部（イベント判定部）５は、タッチパネルモジュール４で検出されたユーザの入力操作に基づいて、アプリケーション実行部を含む演算部（ＣＰＵ）６の作動モードを制御するようになっている。
【００６１】
演算部６は、縮退動作機能を備えており、通常作動モードと、上記通常作動モードより消費電力が小さい低消費電力作動モード（縮退動作モード）での作動が可能となっている。
【００６２】
なお、低消費電力作動モード（縮退動作モード）とは、演算部６に含まれる一部の機能を停止させたり、演算部６が動作する周波数や電圧等を変更したりすることによって、消費電力と性能とを抑制している作動モードをいい、通常作動モードとは、低消費電力作動モード（縮退動作モード）でない作動モードをいう。そして、通常作動モードにおいては、処理が高速化するので、「もたつく」「反応が悪い」といった操作感の侵害を受けることはないが、消費電力の増加を招いてしまう。
【００６３】
また、演算部６は、制御部５から縮退抑止信号が送出され、演算部６の縮退抑止フラグがＯＮである場合には、通常作動モードで作動され、制御部５から縮退抑止信号が送出されず、演算部６の縮退抑止フラグがＯＦＦである場合には、低消費電力作動モード（縮退動作モード）で作動されるようになっている。
【００６４】
そして、スマートフォン８には、表示を行うための表示部７として、例えば、液晶表示パネルや有機ＥＬ表示パネルと、その駆動回路と、が備えられている。
【００６５】
それから、演算部６は、タッチパネル制御部３と、表示部７における駆動回路と、を制御するようになっている。
【００６６】
図２は、スマートフォン８の外観を示す図である。
【００６７】
図２（ａ）に図示されているように、スマートフォン８には、タッチパネル１と表示部７とが重ねられて一体で形成された入力部と、電源スイッチ９と、が備えられている。
【００６８】
そして、図２（ｂ）に図示されているように、ユーザはタッチパネル１と表示部７とが重ねられて一体で形成された入力部を入力手段１１（例えば、手）でタッチし、該当する位置のアイコン１０を選択し、演算部６は、当該アイコンによって特定される処理（例えば、当該アイコンによって指定されるアプリケーションを起動する処理）を実行するようになっている。
【００６９】
それから、図示されているように、上記入力部における特定領域Ｒ１をユーザが接触した場合には、制御部５は、所定期間の間、演算部６を通常作動モードで駆動するようになっている。
【００７０】
本実施の形態においては、タッチパネル下部に位置する、表示部７の４８Ｄｏｔ  Ｐｉｘｅｌの領域を特定領域Ｒ１とした。
【００７１】
なお、本実施の形態においては、特定領域Ｒ１を上記入力部に設けた場合を例に挙げて説明したが、これに限定されることはなく、スマートフォン８によく使われるホームボタンやバックボタンが配置されるエリアがクリックされた場合に、次にアプリケーションの起動が予想されるため、所定期間の間、演算部６が通常作動モードで駆動されるようにしてもよい。
【００７２】
そして、図示してないが、スマートフォン８には携帯用の電源が備えられている。
【００７３】
なお、本実施の形態においては、制御部５は、タッチパネルモジュール４および演算部６とは、別に設けているが、これに限定されることはなく、制御部５は、タッチパネルモジュール４内や演算部６内に備えられていてもよい。
【００７４】
以下、図３から図６に基づいて、制御部５で行われるタッチパネルモジュール４で検出されたユーザの入力操作に基づいて、アプリケーション実行部を含む演算部（ＣＰＵ）６の作動モードをどのように制御するかについて説明する。
【００７５】
図３は、スマートフォン８に備えられた制御部５で行われるユーザのタッチイベント種類を分別するフローチャートを示している。
【００７６】
図示されているように、制御部５では、イベント判定処理開始（Ｓ１）をし、タッチパネルドライバーから、座標・押し圧・面積・イベント時刻などを含むイベント情報を受信（Ｓ２）する。そして、受信したイベント情報に基づいて、イベントを種類別に分別（Ｓ３）し、タッチダウンイベント（Ｓ４）、タッチムーブイベント（Ｓ５）およびタッチアップイベント（Ｓ６）に分別する。
【００７７】
図４は、タッチダウンイベント（Ｓ４）と分類された場合の処理フローチャートを示している。
【００７８】
図示されているように、スマートフォン８端末の起動後、初回のイベントであるかを確認するステップ（Ｓ７）で、初回のイベントであると判定された場合には、タッチパネルのサイズ取得と、ユーザの入力手段がどの程度まで動いた場合をクリック操作と見なすかを決定するためのクリック判定用の移動量計算と、演算部（ＣＰＵ）６の縮退抑止フラグをＯｆｆにする（Ｓ８）。
【００７９】
そして、タッチダウンイベントの時刻と座標を保持し（Ｓ９）、タッチイベントをイベント時刻付与などを行いアプリケーションに通知し（Ｓ１０）、イベント処理を終了させる（Ｓ１１）。
【００８０】
一方、スマートフォン８端末の起動後、初回のイベントであるかを確認するステップ（Ｓ７）で、初回のイベントでないと判定された場合には、演算部（ＣＰＵ）６の縮退抑止フラグがＯＮであるかＯＦＦであるかを確認する（Ｓ１２）。
【００８１】
演算部（ＣＰＵ）６の縮退抑止フラグがＯＦＦである場合には、タッチダウンイベントの時刻と座標を保持し（Ｓ９）、タッチイベントをイベント時刻付与などを行いアプリケーションに通知し（Ｓ１０）、イベント処理を終了させる（Ｓ１１）。
【００８２】
そして、演算部（ＣＰＵ）６の縮退抑止フラグがＯＮであるかＯＦＦであるかを確認するステップ（Ｓ１２）において、演算部（ＣＰＵ）６の縮退抑止フラグがＯＮである場合には、縮退抑止フラグＯＮから一定時間以上（例えば、２分）経過しているかを確認するステップ（Ｓ１３）に進み、演算部（ＣＰＵ）６の縮退抑止フラグＯＮから一定時間以上経過してない場合には、タッチダウンイベントの時刻と座標を保持し（Ｓ９）、タッチイベントをイベント時刻付与などを行いアプリケーションに通知し（Ｓ１０）、イベント処理を終了させる（Ｓ１１）。
【００８３】
一方、演算部（ＣＰＵ）６の縮退抑止フラグＯＮから一定時間以上経過している場合には、演算部（ＣＰＵ）６の縮退抑止フラグをＯＦＦにするステップ（Ｓ１４）に進み、縮退抑止フラグをＯＦＦにした後、タッチダウンイベントの時刻と座標を保持し（Ｓ９）、タッチイベントをイベント時刻付与などを行いアプリケーションに通知し（Ｓ１０）、イベント処理を終了させる（Ｓ１１）。
【００８４】
以上のように、制御部５は、ユーザの入力操作の開始を意味するタッチダウンイベントによっては、演算部６を低消費電力作動モード（縮退動作モード）で駆動させる制御はしないようになっている。
【００８５】
なお、演算部（ＣＰＵ）６の縮退抑止フラグをＯＮにするには、制御部５から縮退抑止信号を送出し、演算部（ＣＰＵ）６の縮退抑止フラグをＯＦＦにするには、制御部５からの縮退抑止信号の送出を止めればよい。
【００８６】
図５は、タッチムーブイベント（Ｓ５）と分類された場合の処理フローチャートを示している。
【００８７】
図示されているように、タッチイベントがタッチムーブイベント（Ｓ５）と分類された場合には、タッチイベントをイベント時刻付与などを行いアプリケーションに通知し（Ｓ１０）、イベント処理を終了させる（Ｓ１１）。
【００８８】
以上のように、制御部５は、ユーザが入力操作中であることを意味するタッチムーブイベントによっては、演算部６を低消費電力作動モード（縮退動作モード）で駆動させる制御はしないようになっている。
【００８９】
図６は、タッチアップイベント（Ｓ６）と分類された場合の処理フローチャートを示している。
【００９０】
図示されているように、タッチイベントがタッチアップイベント（Ｓ６）と分類された場合には、演算部（ＣＰＵ）６の縮退抑止フラグがＯＮであるかＯＦＦであるかを確認するステップ（Ｓ１５）に進み、演算部（ＣＰＵ）６の縮退抑止フラグがＯＮである場合には、縮退抑止フラグＯＮから一定時間以上（例えば、２分）経過しているかを確認するステップ（Ｓ１６）に進み、一定時間以上経過してない場合には、タッチイベントをイベント時刻付与などを行いアプリケーションに通知し（Ｓ１０）、イベント処理を終了させる（Ｓ１１）。
【００９１】
一方、演算部（ＣＰＵ）６の縮退抑止フラグＯＮから一定時間以上（例えば、２分）経過しているかを確認するステップ（Ｓ１６）において、一定時間以上経過している場合には、演算部（ＣＰＵ）６の縮退抑止フラグをＯＦＦにし（Ｓ１７）、前回のＣＰＵ制御から一定時間（例えば、１秒）以上経過しているかを確認するステップ（Ｓ１８）に進む。
【００９２】
また、演算部（ＣＰＵ）６の縮退抑止フラグがＯＮであるかＯＦＦであるかを確認するステップ（Ｓ１５）において、演算部（ＣＰＵ）６の縮退抑止フラグがＯＦＦである場合にも、前回のＣＰＵ制御から一定時間（例えば、１秒）以上経過しているかを確認するステップ（Ｓ１８）に進む。
【００９３】
そして、前回のＣＰＵ制御から一定時間（例えば、１秒）以上経過しているかを確認するステップ（Ｓ１８）において、前回のＣＰＵ制御から一定時間（例えば、１秒）以上経過してないと判定された場合には、所定期間の間、演算部（ＣＰＵ）６の縮退抑止フラグをＯＦＦにし（Ｓ１９）、タッチイベントをイベント時刻付与などを行いアプリケーションに通知し（Ｓ１０）、イベント処理を終了させる（Ｓ１１）。このような場合としては、例えば、ユーザの文字入力操作などを例に挙げることができる。
【００９４】
ユーザの文字入力操作は、所定期間の間、続くことも想定されるため、所定期間の間、演算部（ＣＰＵ）６の縮退抑止フラグをＯＦＦにする（Ｓ１９）を設けている。
【００９５】
一方、前回のＣＰＵ制御から一定時間（例えば、１秒）以上経過しているかを確認するステップ（Ｓ１８）において、前回のＣＰＵ制御から一定時間（例えば、１秒）以上経過していると判定された場合（ユーザの入力操作がアプリケーションの駆動要請である可能性が高い場合）には、タッチダウンからタッチアップまでの移動量が一定量（例えば、１６Ｄｏｔ  Ｐｉｘｅｌ）より小さいかを判定するステップ（Ｓ２０）に進む。
【００９６】
そして、タッチダウンからタッチアップまでの移動量が一定量以上である場合には、アプリケーションの起動ではなく、ドラッグジェスチャーや画面スクロールなどの操作であることが想定されるため、演算部（ＣＰＵ）６の縮退抑止フラグをＯＦＦの状態としたまま、タッチイベントをイベント時刻付与などを行いアプリケーションに通知し（Ｓ１０）、イベント処理を終了させる（Ｓ１１）。
【００９７】
一方、タッチダウンからタッチアップまでの移動量が一定量（例えば、１６Ｄｏｔ  Ｐｉｘｅｌ）より小さいかを判定するステップ（Ｓ２０）において、タッチダウンからタッチアップまでの移動量が一定量（例えば、１６Ｄｏｔ  Ｐｉｘｅｌ）より小さいと判定された場合（ユーザの入力操作がアプリケーションの駆動要請である可能性が高い場合）には、タッチダウンからタッチアップまでの時間が一定時間（例えば、３０ミリ秒）より小さいかを判定するステップ（Ｓ２１）に進む。
【００９８】
そして、タッチダウンからタッチアップまでの時間が一定時間（例えば、３０ミリ秒）より大きい場合には、ロングタッチジェスチャーと判定され、プリケーションの起動ではなく、アンインストールなどを行うことが想定されるため、演算部（ＣＰＵ）６の縮退抑止フラグをＯＦＦの状態としたまま、タッチイベントをイベント時刻付与などを行いアプリケーションに通知し（Ｓ１０）、イベント処理を終了させる（Ｓ１１）。
【００９９】
一方、タッチダウンからタッチアップまでの時間が一定時間（例えば、３０ミリ秒）より小さい場合（ユーザの入力操作がアプリケーションの駆動要請である可能性が高い場合）には、演算部（ＣＰＵ）６の縮退抑止フラグをＯＮにし、一定時間（例えば、１０ｍｓ、２０ｍｓ、４０ｍｓなど）の間、演算部（ＣＰＵ）６を通常作動モードに固定するとともに、演算部（ＣＰＵ）６の制御を開始した時間を保持する（Ｓ２２）。そして、タッチイベントをイベント時刻付与などを行いアプリケーションに通知し（Ｓ１０）、イベント処理を終了させる（Ｓ１１）。
【０１００】
以上のように、制御部５は、上記タッチアップ操作の際に、上記ユーザの入力操作に基づいて、演算部６の作動モードを制御するようになっている。
【０１０１】
なお、本実施の形態においては、ユーザの入力操作がアプリケーションの駆動要請である可能性を判断する条件として、上述したステップＳ１８、Ｓ２０およびＳ２１を設けているが、この他に上記ユーザの入力操作が、一つの入力手段によって行われるかを確認する条件などを追加してもよい。
【産業上の利用可能性】
【０１０２】
本発明は、スマートフォンだけでなく、タブレット端末、パーソナルコンピュータ、その他の電子装置などにも適用できる。
【符号の説明】
【０１０３】
１      タッチパネル（入力面）
２      タッチパネルドライバー
３      タッチパネル制御部
４      タッチパネルモジュール（検出部）
５      制御部
６      ＣＰＵ（演算部）
７      表示部
８      スマートフォン（電子装置）
１１    入力手段
Ｒ１    特定領域
【図１】
2013246726.tif 000003
【図２】
2013246726.tif 000004
【図３】
2013246726.tif 000005
【図４】
2013246726.tif 000006
【図５】
2013246726.tif 000007
【図６】
2013246726.tif 000008